(57)【要約】【課題】電源の必要がなく、しかも騒音公害や停電停止およびメンテナンス作業後にリセットが不必要で、どこでも簡単に脱着自在で安価なエアポンプ用の異常検出表示装置を提供することである。【解決手段】透明部と非透明部からなる中空の収納筒と、この収納筒の一端に流体の通気口を有し、前記収納筒内に気密性の伸縮可能な隔膜と有底で中空の可動筒と表示筒が前記収納筒内にそれぞれ軸方向に配設され、前記可動筒内に圧力設定用のコイルばねが収納され、前記コイルばねの一端が前記表示筒の一端に接合して、圧力変位により隔膜が伸縮して前記可動筒を連動させ前記表示筒を見せたり見せなかったりすることができることを特徴としている。【選択図】図１
0003128192.tif 000002
【実用新案登録請求の範囲】
【請求項１】
透明部と非透明部からなる中空の収納筒と、
この収納筒の一端に流体の通気口を有し、前記収納筒内に気密性の伸縮可能な隔膜と有底で中空の可動筒と表示筒が前記収納筒内にそれぞれ軸方向に配設され、前記可動筒内に圧力設定用のコイルばねが収納され、前記コイルばねの一端が前記表示筒の一端に接合して、圧力変位により隔膜が伸縮して前記可動筒を連動させ前記表示筒を見せたり見せなかったりすることができる
ことを特徴とする流体ポンプのインジケータ。
【請求項２】
前記コイルばねの一端に受座とアジャストねじを設けて圧力変位が設定できることを特徴とする請求項１記載の流体ポンプのインジケータ。
【請求項３】
逆Ｔ字形の中空接続管が脱着自在に配設されたことを特徴とする請求項１または２記載の流体ポンプのインジケータ。
【考案の詳細な説明】
【技術分野】
【０００１】
本考案は電磁振動型エアポンプの異常発生を使用者や維持管理者などへ知らせるための異常表示装置（以下、「インジケータ」ともいう）に関する。詳しくは、主として家庭用浄化槽や養魚用水槽などに酸素補給に利用されるエアポンプの異常表示装置に関する。
【背景技術】
【０００２】
従来技術にかかわる電磁振動型エアポンプの異常検出装置としては図７に示す差圧作動形の検出手段Ｓがあるが（特許文献１参照）、その多くがポンプの電磁駆動部とマイクロスイッチ４０が電源に対して直列に接続されており、左右のポンプの圧縮室にそれぞれ接続されるチューブ３５に連結される差圧検出用蛇腹管３６と、該蛇腹管３６に取り付けられ、該蛇腹管３６の差圧により作動するＵ字形アームの可動子３７と、該可動子３７をスライド自在に支持するための支示部３８を有するベース部３９と、前記可動子３７に連結される検出器のマイクロスイッチ４０が用いられ前記ベース部３９は、ネジ４１によって取り付台に固定されている。マイクロスイッチ４０には、図８に示されるように電磁コイル端子ａに接続される端子４０ａ、ランプまたはブザーの端子ｂに接続される端子４０ｂおよび電源の端子ｃに接続される端子４０ｃを有している。ポンプの一方のダイヤフラムが破損し、圧力が低下すると蛇腹管３６内の破損しない側の圧力が大となり、蛇腹部４５が膨張して可動子３７が動いてマイクロスイッチ４０の押し釦の突起４０ａとの係合が外れて、スイッチ接点が開き、ポンプの電気回路を遮断してポンプを停止させる。このときマイクロスイッチ４０の端子４０ｂとランプおよびブザーの端子ｂとが接続されているためランプが点灯し視覚で異常を知らせるか、または警報を発して使用者あるいは維持管理者などへ知らせるためのブザー５６や有色ランプ５７等の電気的手段を利用した異常警報装置や異常表示装置等を具備した装置であった。
【０００３】
異常警報装置、異常表示装置などを具備していないエアポンプ１１において使用者が異常状態で停止に気づかず長時間放置されると空気が送気されなくなり、浄化槽・養魚用水槽の場合は浄化作用がなくなり臭気が漂い周囲に不快感を与えたり、活魚の生命に多大の影響を及ぼし（死に至らしめ）て、費用の損失を与える要因になっていた。
【０００４】
また、ブザー５６による警報装置は長時間警報を発した場合、周囲の他の者に不快感を与え騒音公害の要因になっていた。
【０００５】
また、ランプ５７の点灯で表示する装置の場合、ランプ寿命と節電に欠ける問題があった。
【０００６】
しかも、これらの警報装置や表示装置は停電停止およびメンテナンス作業後にリセットが必要で余分な作業を有していた。
【０００７】
【特許文献１】特開２００３−８３２５７号公報
【考案の開示】
【考案が解決しようとする課題】
【０００８】
叙上の特許文献１に記載された異常検出装置の場合（図７、図８）、騒音公害や停電停止およびメンテナンス作業後にリセットが不必要でどこでも簡単に脱着することができる安価なエアポンプ用の異常検出表示装置を提供することを目的とするものである。
【課題を解決するための手段】
【０００９】
本考案の第１の形態にかかわる異常時の流体ポンプのインジケータは透明部２ａと非透明部２ｂからなる中空の収納筒とこの収納筒の一端に流体の通気口を有し、前記収納筒内に気密性の伸縮可能な隔膜と有底で中空の可動筒と表示筒が前記収納筒内にそれぞれ軸方向に配設され、前記可動筒内に圧力設定用のコイルばねが収納され、前記コイルばねの一端が前記表示筒の一端に接合して、圧力変位により隔膜が伸縮して前記可動筒を連動させ前記表示筒を見せたり見せなかったりすることができることを特徴としている。なお、本考案において伸縮とは伸長収縮をいう。
【００１０】
本考案の第２の形態にかかわる異常時の流体ポンプのインジケータはコイルばねの一端に調整アジャストを設けて圧力変位が設定できることを特徴としている。
【００１１】
本考案の第３の形態にかかわる異常時の流体ポンプのインジケータは逆Ｔ字形の中空の接続管に配設されて脱着可能であることを特徴としている。
【考案の効果】
【００１２】
本考案は流体（空気）の圧（加圧または吸引圧）の圧力差で可動筒が作動して有色表示筒を表し視覚にて異常を示すインジケータであり、電気的手段を利用せず、コンパクトで装着作業性が容易でしかも安価な異常表示装置を提供することができる。
【考案を実施するための最良の形態】
【００１３】
本考案のインジケータについて添付図面を参照して、以下に詳細に説明する。
【００１４】
図１は本考案のインジケータの正常状態を示す断面説明図、図２は本考案のインジケータが異常状態を示す断面説明図である。図３は本考案のインジケータに調整アジャストを示す断面説明図、図４は風量Ｑと背圧（負荷）Ｈの関係における作動圧の領域を示すグラフである。図５は本考案の逆Ｔ字形のインジケータの形態を示す説明図、図６は本考案の実施一例を示す装着説明図である。
【００１５】
本考案のインジケータ１（図１〜２参照）は透明部と非透明部からなる中空の収納筒２ａ、２ｂとこの収納筒の一端に流体の通気口３を有し、前記収納筒内に気密性の伸縮可能な隔膜４と有底で中空の可動筒５と表示筒６が前記収納筒内にそれぞれ軸方向に配設され、前記可動筒内に圧力設定用のコイルばね７が収納され、前記コイルばね７の一端が前記表示筒６の一端に接合して、圧力変位により隔膜４が伸縮して前記可動筒５を連動させ前記表示筒を見せたり見せなかったりすることができることを特徴とする流体ポンプのインジケータである。
【００１６】
図１はエアポンプからの送気圧が正常な場合、隔膜４が受ける全圧力Ｐは隔膜４の有効受圧面積Ｓと図４に示すα点の圧力Ｐａとの積である。コイルばね７の抗力Ｆはばね定数ＫとコイルばねのたわみＸとの積であり（Ｐ＝Ｓ＊Ｐａ、Ｆ＝Ｋ＊Ｘ）、つまり、全圧Ｐ＞抗力Ｆの条件になったとき隔膜４が可動筒５を押し上げ表示筒６を覆う。一方、図２は隔膜４が破損等の異常になった場合、エアポンプからの送気圧は低下して図４のα点の圧力Ｐａ以下となり、全圧Ｐ＜抗力Ｆの条件でコイルばねの抗力によって隔膜４と可動筒が押し下げられ表示筒が現れ異常を表示する機構である。
【００１７】
本考案のインジケータ１（図３参照）は浄化槽１４（図６参照）の負荷が個々に異なる場合、インジケータ１の図４のα点の受座８とアジャストねじ９により圧力Ｐａを適宜に設定することが可能である。
【００１８】
本考案のインジケータ１（図５参照）は図１〜３に示されるようなインジケータ１が中空接続管１０と一体成形された逆Ｔ字形の構造であり、図６に示すエアポンプ１１の吐出口１２と浄化槽１４の配管１３を簡単に接続固定することを可能にした構造である。なお、インジケータ１は、中空接続管１０と一体成形されることが必須ではなく、中空接続管１０と別体とすることもできる。
【図面の簡単な説明】
【００１９】
【図１】本考案のインジケータの正常状態を示す断面説明図である。
【図２】本考案のインジケータの異常状態を示す断面説明図である。
【図３】本考案のインジケータの調整アジャストの機構を示す断面説明図である。
【図４】風量Ｑと背圧（負荷）Ｈの関係における作動圧の領域を示すグラフである。
【図５】本考案の逆Ｔ字形のインジケータの形態を示す断面説明図である。
【図６】本考案の一実施の形態にかかわるインジケータの装着例を示す説明図である。
【図７】従来の異常検出装置を示す断面説明図である。
【図８】従来の異常検出装置の警報と表示を示す電気回路図である。
【符号の説明】
【００２０】
１  インジケータ
２ａ，２ｂ  収納筒
３  通気口
４  隔膜
５  可動筒
６  表示筒
７  コイルばね
８  受座
９  アジャストねじ
１０  接続口
１１  エアポンプ
１４  浄化槽
【図１】
0003128192.tif 000003
【図２】
0003128192.tif 000004
【図３】
0003128192.tif 000005
【図４】
0003128192.tif 000006
【図５】
0003128192.tif 000007
【図６】
0003128192.tif 000008
【図７】
0003128192.tif 000009
【図８】
0003128192.tif 000010